(57)【要約】      （修正有）【課題】使用性に優れると共に、洗濯機での洗濯が容易な冷却用リュックサックを提供する。【解決手段】冷却用リュックサックは、扁平な袋体２と、袋体に取り付けられる一対の肩掛け用ベルト３とを備え、袋体は、布帛を含み使用者の背に対面可能な背当部４と、布帛を含み背当部に対向し背当部との間に保冷剤収容空間Ｓを形成する正面部と、保冷剤収容空間に収容される保冷剤を出し入れ可能なように背当部及び正面部の対向する端縁同士を開閉自在に接続可能な接続部６とを有し、背当部は、使用者を背側から冷却可能な冷却領域Ｒ１を有し、接続部は、袋体を裏返し、一対の肩掛け用ベルトを袋体内に収容した状態で端縁同士を再接続可能に構成される。【選択図】図２
0003224101.tif 000002
【実用新案登録請求の範囲】
【請求項１】
扁平な袋体と、
上記袋体に取り付けられる一対の肩掛け用ベルトと
を備え、
上記袋体が、
布帛を含み、使用者の背に対面可能な背当部と、
布帛を含み、上記背当部に対向し、この背当部との間に保冷剤収容空間を形成する正面部と、
上記保冷剤収容空間に収容される保冷剤を出し入れ可能なように上記背当部及び上記正面部の対向する端縁同士を開閉自在に接続可能な接続部と
を有し、
上記背当部が、使用者を背側から冷却可能な冷却領域を有し、
上記接続部が、上記袋体を裏返し、上記一対の肩掛け用ベルトを上記袋体内に収容した状態で上記端縁同士を再接続可能に構成される冷却用リュックサック。
【請求項２】
上記冷却領域がタオル生地からなる請求項１に記載の冷却用リュックサック。
【請求項３】
上記袋体が、互いに積層された複数の布帛にキルティング加工が施された遮熱領域を有しており、
上記遮熱領域が、少なくとも底部に形成されている請求項１又は請求項２に記載の冷却用リュックサック。
【請求項４】
上記背当部及び上記正面部の上記端縁にも上記遮熱領域が形成されている請求項３に記載の冷却用リュックサック。
【請求項５】
上記一対の肩掛け用ベルトが上記背当部の上縁部に取り付けられている請求項１から請求項４のいずれか１項に記載の冷却用リュックサック。
【考案の詳細な説明】
【技術分野】
【０００１】
本考案は、冷却用リュックサックに関する。
【背景技術】
【０００２】
例えば夏場における建設作業等、高温環境下における作業時には、体温が上昇しやすくなり、体内の水分や塩分が失われやすい。そのため、熱中症、脱水症等、作業者の身体の異常を抑制したり、作業の安全を確保するために作業者の身体を冷却することが望まれる。
【０００３】
今日では、使用者の身体を冷却可能なリュックサックが提案されている。例えば、使用者の背中に接するリュックサックの背負い面に、保冷剤を収容可能なポケット部を設けることが提案されている（実用新案登録第３００７８４４号公報参照）。
【０００４】
上記公報に記載のリュックサックは、一対の肩掛けベルトが取り付けられた合成樹脂製のバッグ本体を有している。このバッグ本体の背負い面には、シートの縫い付けによってポケット部が設けられている。このポケット部は、上端に開口部を有しており、この開口部を介して内部に保冷剤を入れることができるよう構成されている。
【先行技術文献】
【特許文献】
【０００５】
【特許文献１】実用新案登録第３００７８４４号公報
【考案の概要】
【考案が解決しようとする課題】
【０００６】
しかしながら、上記公報に記載のリュックサックは、バッグ本体の背負い面に設けられたポケット部に保冷剤を収納する構成であるため、作業時に用いると、バッグ本体が作業の妨げとなりやすい。
【０００７】
また、リュックサックを夏場の建設作業等に使用した場合、リュックサックに汚れや作業者の汗等が付着しやすいため、リュックサックを頻繁に洗濯することが望まれる。しかしながら、上記公報に記載のリュックサックは、大きさ及び形状の観点から洗濯機では洗濯し難い。すなわち、このリュックサックは、バッグ本体を有するためにサイズが大きく、洗濯時の取扱性に劣る。また、このリュックサックを洗濯機に投入した場合、一対の肩掛けベルトが洗濯機内で他の洗濯物等と絡まるおそれがある。
【０００８】
本考案は、このような不都合に鑑みてなされたものであり、使用性に優れると共に、洗濯機での洗濯が容易な冷却用リュックサックの提供を課題とする。
【課題を解決するための手段】
【０００９】
上記課題を解決するためになされた本考案に係る冷却用リュックサックは、扁平な袋体と、上記袋体に取り付けられる一対の肩掛け用ベルトとを備え、上記袋体が、布帛を含み、使用者の背に対面可能な背当部と、布帛を含み、上記背当部に対向し、この背当部との間に保冷剤収容空間を形成する正面部と、上記保冷剤収容空間に収容される保冷剤を出し入れ可能なように上記背当部及び上記正面部の対向する端縁同士を開閉自在に接続可能な接続部とを有し、上記背当部が、使用者を背側から冷却可能な冷却領域を有し、上記接続部が、上記袋体を裏返し、上記一対の肩掛け用ベルトを上記袋体内に収容した状態で上記端縁同士を再接続可能に構成される。
【考案の効果】
【００１０】
本考案に係る冷却用リュックサックは、使用性に優れると共に、洗濯機での洗濯が容易である。
【図面の簡単な説明】
【００１１】
【図１】図１は、本考案の一実施形態に係る冷却用リュックサックの正面部側から見た模式的斜視図である。
【図２】図２は、図１の冷却用リュックサックの背当部側から見た模式的斜視図である。
【図３】図３は、図１の冷却用リュックサックの袋体を裏返し、一対の肩掛け用ベルトを袋体内に収容した状態を示す模式的斜視図である。
【図４】図４は、図１の冷却用リュックサックの模式的部分断面側面図である。
【図５】図５は、図１の冷却用リュックサックの使用状態を示す模式図である。
【図６】図６は、図１の冷却用リュックサックとは異なる実施形態に係る冷却用リュックサックの背当部側から見た模式的斜視図である。
【考案を実施するための形態】
【００１２】
［本考案の実施形態の説明］
最初に本考案の実施態様を列記して説明する。
【００１３】
当該冷却用リュックサックは、扁平な袋体と、上記袋体に取り付けられる一対の肩掛け用ベルトとを備え、上記袋体が、布帛を含み、使用者の背に対面可能な背当部と、布帛を含み、上記背当部に対向し、この背当部との間に保冷剤収容空間を形成する正面部と、上記保冷剤収容空間に収容される保冷剤を出し入れ可能なように上記背当部及び上記正面部の対向する端縁同士を開閉自在に接続可能な接続部とを有し、上記背当部が、使用者を背側から冷却可能な冷却領域を有し、上記接続部が、上記袋体を裏返し、上記一対の肩掛け用ベルトを上記袋体内に収容した状態で上記端縁同士を再接続可能に構成される。
【００１４】
当該冷却用リュックサックは、布帛を含む扁平な袋体内に保冷剤を収容することで使用者を背側から冷却することができるので、使用者の動作を妨げ難い。従って、当該冷却用リュックサックは、作業時の使用性に優れる。また、当該冷却用リュックサックは、上記袋体を裏返し、一対の肩掛け用ベルトを上記袋体内に収容した状態で背当部と正面部との対向する端縁同士を接続部によって再接続可能に構成されるので、この状態で洗濯機に投入することで、上記一対の肩掛け用ベルトと他の洗濯物等との絡まり合いを防止しつつ、容易に洗濯することができる。
【００１５】
上記冷却領域がタオル生地からなるとよい。このように、上記冷却領域がタオル生地からなることによって、この冷却領域によって使用者を適度に冷却することができる。また、この構成によると、上記保冷剤に結露が生じた場合でも、結露によって生じた水滴を上記冷却領域で適度に吸収することができる。
【００１６】
上記袋体が、互いに積層された複数の布帛にキルティング加工が施された遮熱領域を有しており、上記遮熱領域が、少なくとも底部に形成されているとよい。このように、上記袋体が、互いに積層された複数の布帛にキルティング加工が施された遮熱領域を有しており、上記遮熱領域が、少なくとも底部に形成されていることによって、外気等によって上記保冷剤が過度に解凍されるのを抑制しつつ、上記保冷剤に結露が生じた場合でも、結露によって生じた水滴を十分に吸収することができる。
【００１７】
上記背当部及び上記正面部の上記端縁にも上記遮熱領域が形成されているとよい。このように、上記背当部及び上記正面部の上記端縁にも上記遮熱領域が形成されていることによって、上記端縁同士を開閉する際に、布帛を構成する繊維と上記接続部とが絡まることを抑制できる。
【００１８】
上記一対の肩掛け用ベルトが上記背当部の上縁部に取り付けられているとよい。このように、上記一対の肩掛け用ベルトが上記背当部の上縁部に取り付けられていることによって、上記保冷剤収容空間に収容された保冷剤によって、使用者をより適切に冷却することができる。
【００１９】
なお、本考案において、「上」とは、使用状態（使用者が当該冷却用リュックサックを背負った状態）における上をいう。また、「底」とは、使用状態における底をいう。
【００２０】
［本考案の実施形態の詳細］
以下、適宜図面を参照しつつ、本考案の実施の形態を詳説する。
【００２１】
［第一実施形態］
図１及び図２の冷却用リュックサック１は、例えば建設作業等の作業時に使用できる。当該冷却用リュックサック１は、扁平な袋体２と、袋体２に取り付けらえる一対の肩掛け用ベルト３とを備える。袋体２は、布帛を含み、使用者の背に対面可能な背当部４と、布帛を含み、背当部４に対向し、背当部４との間に保冷剤収容空間Ｓを形成する正面部５と、保冷剤収容空間Ｓに収容される保冷剤Ｘを出し入れ可能なように背当部４及び正面部５の対向する端縁４ａ、５ａ同士を開閉自在に接続可能な接続部６とを有する。背当部４は、使用者を背側から冷却可能な冷却領域Ｒ１を有する。接続部６は、図３に示すように、袋体２を裏返し、一対の肩掛け用ベルト３を袋体２内に収容した状態で端縁４ａ、５ａ同士を再接続可能に構成される。当該冷却用リュックサック１は、保冷剤収容空間Ｓに保冷剤Ｘが収容された状態で、作業者を背側から冷却する冷却装置として構成される。
【００２２】
（袋体）
袋体２は、シート状の背当部４とシート状の正面部５とが縫合されることで扁平状に形成されている。袋体２において、背当部４は使用者と接する側の最外面を構成し、正面部５はその反対側の最外面を構成する。例えば袋体２は、布帛からなる長方形状の背当部４と、布帛からなり、背当部４と略同形状の正面部５との対向する３つの端縁を縫合することで扁平状に形成されている。袋体２は、内部に保冷剤Ｘ等の他の部材が収容されていない状態では、全体として１枚のシート状である。袋体２の内部空間は、その全領域が保冷剤収容空間Ｓとして構成されることが好ましい。
【００２３】
袋体２の大きさは、特に限定されるものではないが、使用者の背中を十分に冷却できる程度の大きさであることが好ましい。背当部４及び正面部５の上下方向長さの下限としては、使用者の体形等にもよるが、２０ｃｍが好ましく、２５ｃｍがより好ましい。一方、背当部４及び正面部５の上下方向長さの上限としては、使用者の体形等にもよるが、４０ｃｍが好ましく、３５ｃｍがより好ましい。上記上下方向長さが上記下限に満たないと、使用者の背中を十分に冷却することができないおそれがある。逆に、上記上下方向長さが上記上限を超えると、袋体２が大きくなり過ぎて、使用者の作業の妨げとなるおそれがある。なお、「下」とは、使用状態における下をいう。
【００２４】
背当部４及び正面部５の左右方向長さの下限としては、使用者の体形等にもよるが、７ｃｍが好ましく、１２ｃｍがより好ましい。一方、背当部４及び正面部５の左右方向長さの上限としては、使用者の体形等にもよるが、２５ｃｍが好ましく、２０ｃｍがより好ましい。上記左右方向長さが上記下限に満たないと、使用者の背中を十分に冷却することができないおそれがある。逆に、上記左右方向長さが上記上限を超えると、袋体２が大きくなり過ぎて、使用者の作業の妨げとなるおそれがある。なお、「左右」とは、使用状態における左右をいう。
【００２５】
背当部４は、布帛を含んでおり、好ましくは布帛からなる。上記布帛としては、例えば織布、編布（緯編布、経編布）、不織布等が挙げられる。背当部４は、使用者を背側から冷却可能な上述の冷却領域Ｒ１と、冷却領域Ｒ１よりも遮熱性の高い遮熱領域Ｒ２とを有する。遮熱領域Ｒ２は、互いに積層された複数の布帛にキルティング加工を施して構成される。当該冷却用リュックサック１は、主として冷却領域Ｒ１によって使用者を背側から冷却するものであるが、遮熱領域Ｒ２からも使用者を冷却できるものであってもよい。なお、キルティング加工とは、表布と裏布との間に綿等を挟んで縫い付ける縫い方の他、表布と裏布とを直接縫い付ける縫い方も含む。
【００２６】
背当部４は、冷却領域Ｒ１及び遮熱領域Ｒ２以外の領域を有していてもよいが、冷却領域Ｒ１及び遮熱領域Ｒ２のみから構成されることが好ましい。
【００２７】
冷却領域Ｒ１は、背当部４の下端部を除く領域に形成されている。これにより、保冷剤Ｘの結露によって生じた水滴や使用者の汗等が背当部４の下端部から滴り落ちることを抑制しやすい。また、冷却領域Ｒ１は、接続部６によって正面部５と接続される端縁４ａを除く領域に形成されている。これにより、接続部６によって端縁４ａ、５ａを開閉する際に、接続部６と冷却領域Ｒ１を構成する繊維とが絡まることを抑制できる。
【００２８】
冷却領域Ｒ１は、背当部４を左右方向に横断するように構成されている。冷却領域Ｒ１は、例えば矩形状であり、好ましくは長方形状である。当該冷却用リュックサック１は、冷却領域Ｒ１が矩形状であることで、製造が容易であると共に、使用者を背側から十分に冷却できる。
【００２９】
冷却領域Ｒ１はタオル生地からなることが好ましい。当該冷却用リュックサック１は、冷却領域Ｒ１がタオル生地からなることによって、冷却領域Ｒ１によって使用者を適度に冷却することができると共に、保冷剤Ｘに結露が生じた場合でも、結露によって生じた水滴を冷却領域Ｒ１で適度に吸収することができる。また、冷却領域Ｒ１がタオル生地からなることで、冷却領域Ｒ１によって使用者の汗を適度に吸収することができる。
【００３０】
上記タオル生地としては、綿、麻等の天然セルロース繊維や、ウール、シルクなどの天然繊維から形成されたタオル生地、再生セルロース等の半合成繊維から構成されたタオル生地等が挙げられる。
【００３１】
遮熱領域Ｒ２は、背当部４の冷却領域Ｒ１以外の領域を構成している。つまり、背当部４の下端部と接続部６によって正面部５に接続される端縁４ａとには遮熱領域Ｒ２が設けられている。図４に示すように、遮熱領域Ｒ２は、上記端縁４ａの表裏両面に設けられることが好ましい。遮熱領域Ｒ２は、冷却領域Ｒ１を構成する布帛と、この布帛に重ねられる他の布帛との積層体にキルティング加工を施すことで形成することができる。なお、「表」とは、使用状態における表をいい、「裏」とは、その反対側をいう。
【００３２】
正面部５は、布帛を含んでおり、好ましくは布帛からなる。上記布帛としては、背当部４に用いられるものと同様のものが挙げられる。正面部５は、互いに積層された複数の布帛にキルティング加工が施された遮熱領域Ｒ２を有する。一方、正面部５は、背当部４に形成される上述の冷却領域Ｒ１を有しない。正面部５は、遮熱領域Ｒ２以外の領域を有していてもよいが、遮熱領域Ｒ２のみから構成されることが好ましい。図４に示すように、遮熱領域Ｒ２は、接続部６によって背当部４と接続される端縁５ａの表裏両面に形成されることが好ましい。正面部５に形成される遮熱領域Ｒ２は、背当部４に形成される遮熱領域Ｒ２と同様、上述の冷却領域Ｒ１を構成する布帛と、この布帛に重ねられる他の布帛との積層体にキルティング加工を施すことで形成することができる。
【００３３】
上述のように、背当部４及び正面部５は遮熱領域Ｒ２を有しており、これにより、袋体２は、互いに積層された複数の布帛にキルティング加工が施された遮熱領域Ｒ２を有している。
【００３４】
遮熱領域Ｒ２は、背当部４の下端部及び正面部５の下端部に形成されており、これにより、少なくとも袋体２の底部に形成されている。当該冷却用リュックサック１は、遮熱領域Ｒ２を有することで、外気等により保冷剤Ｘが過度に解凍されるのを抑制することができる。また、当該冷却用リュックサック１は、遮熱領域Ｒ２が袋体２の底部に形成されていることで、保冷剤Ｘに結露が生じた場合でも、結露によって生じた水滴を上記底部で十分に吸収することができ、この水滴が袋体２から滴り落ちることを抑制しやすい。なお、「袋体の底部」とは、背当部４及び正面部５の下縁から上方に少なくとも１ｃｍまでの間の部分をいい、好ましくは３ｃｍ、より好ましくは５ｃｍまでの部分をいう。
【００３５】
上述のように、遮熱領域Ｒ２は、接続部６によって接続される背当部４及び正面部５の端縁４ａ、５ａにも形成されており、より詳しくは、背当部４及び正面部５の端縁４ａ、５ａの表裏両面側に形成されている。これにより、当該冷却用リュックサック１は、端縁４ａ、５ａ同士を開閉する際に、布帛を構成する繊維と接続部６とが絡まることを抑制できる。
【００３６】
接続部６は、背当部４及び正面部５の端縁４ａ、５ａ同士を開閉自在に接続しており、より詳しくは背当部４及び正面部５の上縁同士を開閉自在に接続している。接続部６としては、例えば線ファスナーが挙げられる。上記線ファスナーは、図４に示すように、リング状の接続片６ｂを有するスライダー６ａと、接続片６ｂに取り付けられる引手６ｃとを有する。接続片６ｂは、スライダー６ａのスライド方向の一方側に突出している。これにより、引手６ｃは、袋体２の内側及び外側の両側に自在に移動できるよう構成されている。
【００３７】
当該冷却用リュックサック１は、引手６ｃが袋体２の内側及び外側に自在に移動できることで、袋体２を容易に表裏に反転することができる。当該冷却用リュックサック１は、引手６ｃが袋体２の外側に出ている状態で、引手６ｃを引いてスライダー６ａをスライドさせ、背当部４及び正面部５の端縁４ａ、５ａ同士を開放したうえで、袋体２を容易に裏返すことができる。これにより、図３に示すように、裏返された袋体２において背当部４と正面部５と間に形成される空間（上述の保冷剤収容空間Ｓに対応する空間）が一対の肩掛け用ベルト３の収容空間となり、一対の肩掛け用ベルト３が裏返しにされた袋体２内に自動的に収容される。さらに、当該冷却用リュックサック１は、裏返された袋体２において、引手６ｃを袋体２の外側に出し、引手６ｃを引いてスライダー６ａをスライドさせることで、背当部４及び正面部５の端縁４ａ、５ａ同士を容易に再接続することができる。
【００３８】
（肩掛け用ベルト）
図４に示すように、一対の肩掛け用ベルト３の一端（上側の端部）は、背当部４の上縁部に取り付けられている。これにより、当該冷却用リュックサック１は、保冷剤収容空間Ｓに収容された保冷剤Ｘによって、使用者を背側から適切に冷却することができる。つまり、図５に示すように、一対の肩掛け用ベルト３の一端が背当部４の上縁部に取り付けられている場合、保冷剤収容空間Ｓが一対の肩掛け用ベルト３の上記一端よりも低位に保持される。そのため、保冷剤Ｘを使用者Ｐの背に沿うように配置しやすく、使用者Ｐを背側から適切に冷却することができる。
【００３９】
一対の肩掛け用ベルト３は、長さ調整可能に構成されている。これにより、使用者の体形に応じてベルトの長さを調整することができる。
【００４０】
（保冷剤）
保冷剤Ｘとしては、公知のものを用いることができ、例えば板状、袋状等の容器に、水、不凍液、ゲル化剤等が充填されたものを使用することができる。
【００４１】
＜利点＞
当該冷却用リュックサック１は、布帛を含む扁平な袋体２内に保冷剤Ｘを収容することで使用者を背側から冷却することができるので、使用者の動作を妨げ難い。従って、当該冷却用リュックサック１は、作業時の使用性に優れる。また、当該冷却用リュックサック１は、袋体２を裏返し、一対の肩掛け用ベルト３を袋体２内に収容した状態で背当部４と正面部５との対向する端縁４ａ、５ａ同士を接続部６によって再接続可能に構成されるので、この状態で洗濯機に投入することで、一対の肩掛け用ベルト３と他の洗濯物等との絡まり合いを防止しつつ、容易に洗濯することができる。
【００４２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４３】
例えば上記接続部は、上述の線ファスナーに限定されるものではなく、面ファスナーやボタン、紐等を用いたものとすることもできる。
【００４４】
上記冷却領域は、タオル生地からなる構成に限定されるものではない。例えば上記冷却領域は、タオル生地以外の１枚の布帛の単層体から構成されてもよい。
【００４５】
上記冷却領域の配置は、上記実施形態の配置に限定されるものではない。例えば、図６に示すように、冷却領域Ｒ１１は、背当部１４の上縁に至るよう配置されていてもよい。当該冷却用リュックサック１１は、この構成によると、冷却領域Ｒ１１を大きくして、使用者を背側からより効果的に冷却することができる。
【００４６】
上記遮熱領域は、複数の布帛にキルティング加工が施された構成に限定されるものではない。上記遮熱領域は、例えばキルティング加工が施されていない複数の布帛の多層体から構成されてもよい。また、上記遮熱領域の配置は上記実施形態の配置に限定されるものではない。
【００４７】
上記一対の肩掛け用ベルトは、上記背当部の上縁部以外の部分に取り付けられる構成とすることも可能である。
【産業上の利用可能性】
【００４８】
以上のように、本考案に係る冷却用リュックサックは、使用性に優れると共に、洗濯機での洗濯が容易であるので、建設作業現場等で好適に用いられる。
【符号の説明】
【００４９】
１、１１  冷却用リュックサック
２  袋体
３  肩掛け用ベルト
４、１４  背当部
４ａ  端縁
５  正面部
５ａ  端縁
６  接続部
６ａ  スライダー
６ｂ  接続片
６ｃ  引手
Ｐ  使用者
Ｒ１、Ｒ１１  冷却領域
Ｒ２  遮熱領域
Ｓ  保冷剤収容空間
Ｘ  保冷剤
【図１】
0003224101.tif 000003
【図２】
0003224101.tif 000004
【図３】
0003224101.tif 000005
【図４】
0003224101.tif 000006
【図５】
0003224101.tif 000007
【図６】
0003224101.tif 000008